(57)【特許請求の範囲】
【請求項１】
連続するフレーム画像に挿入する補間フレーム画像を生成する補間フレーム生成装置であって、
前記連続するフレーム画像の間で、前記フレーム画像を構成する複数のブロックの中の一つのブロックに関してブロックマッチング処理を行ない、ブロック単位の動きベクトルを決定するブロック単位検出部と、
前記複数のブロックの中の注目ブロックの中の各画素単位に関して、前記注目ブロックに隣接する少なくとも一つのブロックであり既に画素単位の動きベクトルの検出が完了しているブロックについてその中の既に決定された画素単位の動きベクトルの中で当該ブロック内の画素単位の動きベクトルとして最も多く適用された動きベクトルを候補ベクトルとしこの候補ベクトルを適用した場合の、前フレーム、後フレームの各画素間のペア画素輝度差分値を求め、また、前記候補ベクトルとは異なる候補ベクトルを適用した場合の、前フレーム、後フレームの各画素間のペア画素輝度差分値を求め、これら複数の候補ベクトルに応じた複数の画素輝度差分値を比較して最も小さいペア画素輝度差分値を与える候補ベクトルを前記注目ブロックの画素単位の動きベクトルとして採択する画素単位検出部と、
前記ブロック単位の動きベクトル及び前記採択された画素単位の動きベクトルに基づいて、補間フレーム画像を生成する生成部と、を具備することを特徴とする補間フレーム生成装置。
【請求項２】
前記画素単位検出部は、前記注目ブロックの上下左右に隣接するブロックに関する前記ブロック単位検出部が検出した各動きベクトルを前記異なる候補ベクトルとすることを特徴とする請求項１記載の補間フレーム生成装置。
【請求項３】
前記画素単位検出部は、前記注目ブロックに関する前記ブロック単位検出部が検出した動きベクトルを前記異なる候補ベクトルとすることを特徴とする請求項１記載の補間フレーム生成装置。
【請求項４】
前記画素単位検出部は、前記複数のブロックの中の注目ブロックの中の各画素単位に関して、前記フレーム画像の１フレーム前のフレーム画像の前記注目ブロックであり既に画素単位の動きベクトルの検出が完了しているブロックについてその中の既に決定された画素単位の動きベクトルの中で当該ブロック内の画素単位の動きベクトルとして最も多く適用された動きベクトルを前記異なる候補ベクトルとすることを特徴とする請求項１記載の補間フレーム生成装置。
【請求項５】
前記画素単位検出部は、前記複数のブロックの中の注目ブロックの中の各画素単位に関して、前記フレーム画像のｎ（ｎは整数）フレーム前のフレーム画像の前記注目ブロックであり既に画素単位の動きベクトルの検出が完了しているブロックについてその中の既に決定された画素単位の動きベクトルの中で当該ブロック内の画素単位の動きベクトルとして最も多く適用された動きベクトルを前記異なる候補ベクトルとすることを特徴とする請求項１記載の補間フレーム生成装置。
【請求項６】
前記画素単位検出部は、一つのブロックの全ての画素単位の動きベクトルを検出すると、このブロック内の画素単位の動きベクトルとして最も多く適用された動きベクトルを最多適用ベクトルとして採択して記憶することを特徴とする請求項１記載の補間フレーム生成装置。
【請求項７】
前記画素単位検出部は、前記複数のブロックの中の注目ブロックに関する画素単位の動きベクトル検出処理を、前記フレーム画像中において垂直方向または水平方向に順次処理していくことを特徴とする請求項１記載の補間フレーム生成装置。
【請求項８】
連続するフレーム画像に挿入する補間フレーム画像を生成する補間フレーム生成方法であって、
前記連続するフレーム画像の間で、前記フレーム画像を構成する複数のブロックの中の一つのブロックに関してブロックマッチング処理を行ない、ブロック単位の動きベクトルを決定し、
前記複数のブロックの中の注目ブロックの中の各画素単位に関して、前記注目ブロックに隣接する少なくとも一つのブロックであり既に画素単位の動きベクトルの検出が完了しているブロックについてその中の既に決定された画素単位の動きベクトルの中で当該ブロック内の画素単位の動きベクトルとして最も多く適用された動きベクトルを候補ベクトルとし、
この候補ベクトルを適用した場合の、前フレーム、後フレームの各画素間のペア画素輝度差分値を求め、また、前記候補ベクトルとは異なる候補ベクトルを適用した場合の、前フレーム、後フレームの各画素間のペア画素輝度差分値を求め、これら複数の候補ベクトルに応じた複数の画素輝度差分値を比較して最も小さいペア画素輝度差分値を与える候補ベクトルを前記注目ブロックの画素単位の動きベクトルとして採択し、
前記ブロック単位の動きベクトル及び前記採択された画素単位の動きベクトルに基づいて、補間フレーム画像を生成することを特徴とする補間フレーム生成方法。
【請求項９】
放送信号を受信して映像信号を出力するチューナ部と、
前記チューナ部からの前記映像信号に含まれる連続するフレーム画像の間で、前記フレーム画像を構成する複数のブロックの中の一つのブロックに関してブロックマッチング処理を行ない、ブロック単位の動きベクトルを決定するブロック単位検出部と、
前記複数のブロックの中の注目ブロックの中の各画素単位に関して、前記注目ブロックに隣接する少なくとも一つのブロックであり既に画素単位の動きベクトルの検出が完了しているブロックについてその中の既に決定された画素単位の動きベクトルの中で当該ブロック内の画素単位の動きベクトルとして最も多く適用された動きベクトルを候補ベクトルとし、この候補ベクトルを適用した場合の、前フレーム、後フレームの各画素間のペア画素輝度差分値を求め、また、前記候補ベクトルとは異なる候補ベクトルを適用した場合の、前フレーム、後フレームの各画素間のペア画素輝度差分値を求め、これら複数の候補ベクトルに応じた複数の画素輝度差分値を比較して最も小さいペア画素輝度差分値を与える候補ベクトルを前記注目ブロックの画素単位の動きベクトルとして採択する画素単位検出部と、
前記ブロック単位の動きベクトル及び前記採択された画素単位の動きベクトルに基づいて、補間フレーム画像を生成して前記チューナ部からの映像信号に補間する生成部と、
前記生成部により補間された映像信号に基づき、画面上に映像を表示する表示部と、
を具備することを特徴とする放送受信装置。
【発明の詳細な説明】
【技術分野】
【０００１】
この発明は、複数のフレーム画像のブロック単位及び画素単位の動きベクトルを検出しこれらに基づき補間処理を行なう補間フレーム生成装置、補間フレーム生成方法及び放送受信装置に関する。
【背景技術】
【０００２】
周知のように、最近、平面ディスプレイをもつデジタルテレビジョン装置等が普及してきており、これらのデジタルテレビジョン装置の内部には、円滑な画像表示とするべく、映像信号に補間画像処理を施す補間処理装置が設けられている。このような補間処理装置では、ブロック単位や画素単位の動きベクトルを検出し、これに基づき、補間処理がなされる。
【０００３】
特許文献１は、注目画素が存在する注目ブロックの上下左右の４ブロックの動きベクトルを注目画素の動きベクトルの候補として使用し、注目画素において、第1フィールドと第２フィールドの画素値の差が最小となるような動きベクトルを画素動きベクトルと決定する。
【特許文献１】特開２００５−２８４４８６号公報
【発明の開示】
【発明が解決しようとする課題】
【０００４】
しかし、特許文献１の従来技術では、注目ブロックの周囲のブロックが示す動きベクトルを参照することで補間処理を進めていたが、動きベクトルの時間的な連続性を動きベクトル検出に十分利用していないという問題がある。
【０００５】
本発明は、フレーム画像の各ブロック内の画素単位ベクトルを正確に検出することができる補間フレーム生成装置、補間フレーム生成方法及び放送受信装置を提供することを目的とする。
【課題を解決するための手段】
【０００６】
課題を解決するための一実施形態は、
連続するフレーム画像に挿入する補間フレーム画像を生成する補間フレーム生成装置であって、
前記連続するフレーム画像の間で、前記フレーム画像を構成する複数のブロックの中の一つのブロックに関してブロックマッチング処理を行ない、ブロック単位の動きベクトルを決定するブロック単位検出部と、
前記複数のブロックの中の注目ブロックの中の各画素単位に関して、前記注目ブロックに隣接する少なくとも一つのブロックであり既に画素単位の動きベクトルの検出が完了しているブロックについてその中の既に決定された画素単位の動きベクトルの中で当該ブロック内の画素単位の動きベクトルとして最も多く適用された動きベクトルを候補ベクトルとし、この候補ベクトルを適用した場合の、前フレーム、後フレームの各画素間のペア画素輝度差分値を求め、また、前記候補ベクトルとは異なる候補ベクトルを適用した場合の、前フレーム、後フレームの各画素間のペア画素輝度差分値を求め、これら複数の候補ベクトルに応じた複数の画素輝度差分値を比較して最も小さいペア画素輝度差分値を与える候補ベクトルを前記注目ブロックの画素単位の動きベクトルとして採択する画素単位検出部と、
前記ブロック単位の動きベクトル及び前記採択された画素単位の動きベクトルに基づいて、補間フレーム画像を生成する生成部と、を具備することを特徴とする補間フレーム生成装置である。
【発明の効果】
【０００７】
動きベクトルを求めようとする注目ブロックの隣接ブロックの動きベクトルだけでなく、隣接ブロックの履歴情報である各画素単位での最多適用ベクトルを用いて画素単位の動きベクトルを正確に検出し、これに基づいて補間処理を行なうものである。
【発明を実施するための最良の形態】
【０００８】
以下、この発明の実施の形態について図面を参照して詳細に説明する。
【０００９】
＜本発明の一実施形態である補間フレーム生成装置の構成の一例＞
初めに、本発明の一実施形態である補間フレーム生成装置の構成の一例を図面を用いて詳細に説明する。図１は、本発明の一実施形態に係る補間フレーム生成装置の構成の一例を示すブロック図である。図２は、同じく補間フレーム生成装置のブロックマッチング処理の一例を示す説明図である。
【００１０】
本発明の一実施形態に係る補間フレーム生成装置１０は、図１に示すように、入力画像信号が与えられるフレームメモリ１１と、同様に入力端及びフレームメモリ１１から入力画像信号が与えられるブロック単位動きベクトル検出部１２と、ブロック単位動きベクトル検出部１２からブロック単位動きベクトル情報が供給され後述する履歴処理を伴う画素単位動きベクトル検出部１３と、フレームメモリ１１から入力画像信号が供給され、補間画像を生成する補間画像生成部１４を有している。
【００１１】
本発明の一実施形態に係る補間フレーム生成装置１０は、このような構成により、図２に示すように、前フレーム３１と後フレーム３３の間に補間フレーム３２を生成し挿入することで、６０Ｆ／ｓの入力信号を１２０Ｆ／ｓの入力信号とするものである。このとき、補間画像生成部１４で生成される補間フレーム３２は、ブロック単位動きベクトル検出部１２で検出された動きベクトルに基づいて生成されたものである。
【００１２】
すなわち、ブロック単位動きベクトル検出部１２は、前フレーム３１と後フレーム３３の間で図２に示される固定長ブロックに基づいてブロックマッチング処理を行なうことで、動きベクトルを検出する。以下、その詳細を図面を用いて説明する。
【００１３】
＜本発明の一実施形態である補間フレーム生成装置の補間フレーム生成処理の一例＞
上述した構成を有する補間フレーム生成装置において、補間フレーム生成処理の動作の概要を図３を用いて詳細に述べる。図３は、本発明の一実施形態に係る補間フレーム生成装置における全体の補間画像生成処理の一例を示すフローチャートである。図４は、同じく補間フレーム生成装置における、周辺ブロックの動きベクトルから注目ブロックの各画素単位動きベクトルを決定する処理の一例を説明する説明図である。
【００１４】
なお、以下の図２、図７及び図８のフローチャートの各ステップは、回路ブロックに置き換えることができ、従って、各フローチャートのステップは、全てブロックに定義しなおすことが可能である。
【００１５】
（補間フレーム生成処理の概要）
本発明の一実施形態である補間フレーム生成装置１０は、図３のフローチャートが示すように、初めに、フレームメモリ１１及びブロック単位動きベクトル検出部１２には、６０フレーム／秒の映像信号が供給される(ステップＳ１１)。
【００１６】
次に、フレームメモリ１１及びブロック単位動きベクトル検出部１２は、ブロック単位動きベクトルを検出する(ステップＳ１２)。これは、すなわち、図４に示すように、１フレームを複数のブロックに分割し、各ブロックについて、動きベクトルがそれぞれ検出されるものである。
【００１７】
更に、フレームメモリ１１及び画素単位動きベクトル検出部１３は、今度は、図４のブロックＡの詳細図、更に、図５及び図６の説明図に示すように、一つの注目ブロック中の複数の画素単位動きベクトルを検出するものである(ステップＳ１３)。この際の複数の画素単位の動きベクトルの検出の手法については、本発明の一実施形態の特徴部分であり、詳細に図面を用いて後述する。
【００１８】
その後、補間画像生成部１４は、これら検出されたブロック単位動きベクトルと画素単位動きベクトルに基づいて補間画像を生成し、フレームメモリ１１と共に、６０フレーム／秒の映像信号へこの補間画像の適宜挿入処理を行なうことで、１２０フレーム／秒の映像信号を出力するものである。なお、入力映像信号が５０フレーム／秒の映像信号であれば、出力映像信号は、１００フレーム／秒の映像信号となる。
【００１９】
（画素単位動きベクトル検出処理の詳細）
・趣旨
次に、図３のフローチャートでのステップＳ１３の画素単位動きベクトル検出処理の詳細な動作を図７及び図８のフローチャートを用いて、以下に詳細に説明する。
【００２０】
すなわち、画素単位動きベクトル検出部１３が行なう画素単位動きベクトル検出処理は、一つの注目ブロックＡについて行なわれるもので、注目ブロックＡ中の各画素に対して「動きベクトル候補」を適用する場合に指示される、前フレーム、後フレームの各画素間のペア画素輝度差分値を求め、最も小さいペア画素輝度差分を与える動きベクトルを、画素単位動きベクトルとして採択する。
【００２１】
この際に、本実施形態では、以下のように、『動きベクトル候補』を用意するものである。
【００２２】
１）注目ブロックＡに対しステップＳ１２で先に求めたブロック単位動きベクトル
２）注目ブロックＡにブロック単位で隣接している周辺ブロック（上下左右の４ブロック）のブロック単位動きベクトル
３）注目ブロックＡに隣接しているブロックにおいて、既に画素単位動きベクトルが決定された際の最多適用された画素単位動きベクトル（履歴情報）
画素単位動きベクトル検出部１３は、注目ブロックＡ中の各画素に対して３種類の『動きベクトル候補』を適用した場合のペア画素輝度差分値を求め、最も小さいペア画素輝度差分を与える動きベクトルを、画素単位動きベクトルとして採択する。
【００２３】
ここで、３）の履歴情報である『最多適用ベクトル』を『動きベクトル候補』として処理する理由を以下に述べる。
【００２４】
すなわち、注目ブロックＡの内の画素単位ベクトル候補として隣接ブロックのブロック単位動きベクトルを使う方法は、隣接ブロックのどれか一つは正しい動きベクトルを保持しているという前提のもとで正常動作が期待できる。
【００２５】
しかしながら、通常ブロックマッチングによるブロック単位動きベクトル検出処理においては、様々な要因により誤検出（間違ったベクトルが得られる）が起こることがある。注目ブロックの周りに誤検出を起こしたブロックが少数であれば、他の誤検出を起こしていない隣接ブロックから正しい動きベクトルが得られる可能性はある。
【００２６】
しかし、注目ブロックの周りに誤検出したブロックが連続して存在すると、画素単位動きベクトル候補として正しいものが推定できず、結果として間違った動きベクトルを適用してしまい、補間フレームの品質に悪影響を及ぼす可能性がある。
【００２７】
そこで周辺ブロックのブロック単位動きベクトルに加え、画素単位動きベクトル候補として、履歴情報である『最多適用ベクトル』も対象とすることで、検出の確度を向上させることができる。
【００２８】
この『最多適用ベクトル』の特徴を図５の例を参照しながら、以下説明する。
【００２９】
１.あるブロックＡ（n×m画素）の全ての画素単位動きベクトルが決定された後、ブロックＡ内で採用された画素位動きベクトルのうち、最も個数の多い（頻度の高い）動きベクトルをメモリに保持したものをブロックＡの『最多適用ベクトル』と定義する。
【００３０】
２.ブロックＡと別のブロックＢ、ブロックＣ〜ブロックＦは、ブロック単位で連続した位置関係にあるものとする。
【００３１】
３.ブロックＡで求められた『最多適用ベクトル』は、別のブロックＢ内の各画素の画素単位動きベクトル検出時に、ブロックＢの周辺ブロックの動きベクトルとともに画素単位動きベクトルの候補として使用される。
【００３２】
４.ブロックＢの各画素は、周辺ブロックに一致度の低い（正しくないと推定される）動きベクトルしかなかった場合、ブロックＡの『最多適用ベクトル』を使用することで、少なくとも隣接した（相関の強い）ブロックＡで最多勝利した尤もらしい動きベクトル（ブロックＡの『最多適用ベクトル』）を用いることで、ブロックＢ内の特定の画素にとっても尤もらしい動きベクトルを適用できる可能性が高くなる。
【００３３】
５.もちろん、ブロックＢにおいても『最多適用ベクトル』は計算され、ブロックＢに隣接する別のブロックＣではブロックＢの『最多適用ベクトル』を候補として使うことができる。
【００３４】
６.ブロックＢの『最多適用ベクトル』がブロックＡの『最多適用ベクトル』に等しい場合、ブロックＣの画素単位動きベクトル候補としてブロックＡの『最多適用ベクトル』が伝播する現象が起こる。同様にブロックＤ,..と他の連続したブロックに伝播することもある。
【００３５】
なお、図５では垂直方向に連続するブロックを想定して説明しているが、これは通常の画像処理において画面の上方から下方に向かって順に処理を行うためである。つまり、画面上で下方にあるブロックより上方のブロックの画素単位動きベクトルが先に決定されるため、本実施形態のように、『最多適用ベクトル』を伝播させるためには、一般的に伝播方向は上から下へ向かうものが想定される。
【００３６】
ただし、この実施形態における『最多適用ベクトル』の伝播方向は上記に限らずどのようなものでもよく、例えば水平方向、すなわち、画面の左側から右側に向かって順に処理
でもよく、画面の右側から左側に向かって順に処理するものでもよい。又、図６のように、画面の下方から上方に向かって順に処理するものでもよい。
【００３７】
特筆すべきは、６.の特徴であり、一見、ブロックＡとブロックＤは空間的に相関性が低く、ブロックＡで求められた『最多適用ベクトル』をブロックＤで候補として用いるのは問題があるように捉えられるかもしれないが、必ずしもそうではない。
【００３８】
例えばブロックＡとブロックＤが実際に相関がない場合は、ブロックＤでブロックＡの『最多適用ベクトル』を使ってもやはり一致度は悪く、代わりにブロックＤの周辺ブロックの動きベクトルを参照して本来の正しい動きベクトルを得ることができるため、通常問題が起こる可能性は低い。
【００３９】
一方、例えばブロックＡからブロックＥまで本来ブロック単位動きベクトルが連続しているにも関わらず、ブロックＢからブロックＤまで連続してブロック単位動きベクトルが間違っている場合（ブロックＡ〜ブロックＥの正しい動きベクトルは同一であるべきだが、中間のＢ，Ｃ，Ｄが誤った動きベクトルを持つ場合）、６.の特徴の利点が最大に生かされる。
【００４０】
このとき、ブロックＡの『最多適用ベクトル』を使ってブロックＢの各画素は正しい画素単位動きベクトルを得ることができ（このときブロックＢの『最多適用ベクトル』はブロックＡの最多勝者動きベクトルになることが期待される）、さらに『最多適用ベクトル』がブロックＣ,Ｄまで伝播することで、ブロックＢ〜ブロックＤ全てにおいて正しい画素単位動きベクトルを得ることができる。
【００４１】
・フローチャートを用いた説明
以下に、図７及び図８のフローチャートを用いて、画素単位動きベクトル検出処理の詳細を説明する。
【００４２】
画素単位動きベクトル検出部１３は、フレームメモリ１１と共に、ブロックＡ（ｍ×ｎ画素）の処理ループを開始する(ステップＳ２１)。すなわち、画素単位動きベクトル検出部１３は、ステップＳ２１の処理ループの開始と、ステップＳ２７の処理ループの終了により、以下のステップＳ２２乃至ステップＳ２６の処理をブロックＡ（ｍ×ｎ画素）の全ての画素について繰り返し行なう。
【００４３】
すなわち、画素単位動きベクトル検出部１３は、ブロックＡ内のある画素iに対し、ブロック単位動きベクトルを適用した場合に、ペア画素（ベクトルにより指示される前後フレーム上の画素の対）の輝度の差分値（ペア画素輝度差分値）を算出する（ステップＳ２２）。
【００４４】
そして、画素単位動きベクトル検出部１３は、算出したペア画素輝度差分値が、所定の閾値より小さければ、そのベクトルは妥当であると判定し（ステップＳ２３）、この動きベクトルを画素iの画素単位動きベクトルとして採用する（ステップＳ２９）。
【００４５】
しかし、画素単位動きベクトル検出部１３は、算出したペア画素輝度差分値が所定の閾値より大きければ、そのベクトルは誤ったものであると判定し（ステップＳ２３）、新たに周辺ブロック（通常、上下左右の４者）のブロック単位動きベクトルを候補として、それぞれに動きベクトルついてペア画素輝度差分値を求める（ステップＳ２４）。
【００４６】
更に、画素単位動きベクトル検出部１３（履歴処理）は、画素ｉに対し、ブロックＡの隣接ブロックの履歴情報である『最多適用ベクトル』を適用した場合のペア画素輝度差分値を取得する（ステップＳ２５）。
【００４７】
画素単位動きベクトル検出部１３は、これらの複数のペア画素輝度差分値のうち、最も小さいものを画素iの画素単位動きベクトルとして採用する（ステップＳ２６）。
【００４８】
このような処理をブロックＡ（ｍ×ｎ画素）の全ての画素について繰り返し行ない、ブロックＡの全ての画素の画素単位動きベクトルが求まった後（ステップＳ２７）、最も頻度の高い動きベクトルを算出し、ブロックＡの『最多適用ベクトル』とする。また『最多適用ベクトル』をメモリに保持する（ステップＳ２８）。
【００４９】
本実施形態では、ブロック内で最も一致する頻度の高かった画素単位動きベクトルを『最多適用ベクトル』として他の隣接ブロックをまたいで伝播させることができる。これにより、ブロックが連続して間違った動きベクトルを持っていた場合でも、正しい動きベクトルを適用できる可能性が高くなり、結果的に作成する補間フレームの品質を向上させることが可能となる。
【００５０】
なお、他の実施形態として、図８に示すように、『最多適用ベクトル』を求めるブロックを注目ブロックＡの隣接するブロックにするのではなく、１フレーム前（またｎフレーム前、ｎは整数）の注目ブロックＡとすることが好適である。
【００５１】
以上、詳細に説明したように、本発明の一実施形態に係る補間フレーム生成装置は、動きベクトルを求めようとする注目ブロックの隣接ブロックの動きベクトルだけでなく、隣接ブロックの履歴情報である各画素単位での最多適用ベクトルを用いて画素単位の動きベクトルを正確に検出し、これに基づいて確実な補間処理を行なうものである。
【００５２】
＜本発明の一実施形態に係る補間フレーム生成部が適用される放送受信装置の構成の一例＞
次に、本発明の一実施形態に係る補間フレーム生成部を適用した放送受信装置の一例を図面を用いて説明する。図９は、本発明の一実施形態に係る補間フレーム生成部を利用した放送受信装置の構成の一例を示すブロック図である。
【００５３】
上述した補間フレーム生成部は、放送受信装置１００においては、映像処理部１１９の中に補間フレーム生成部１０として用いることが好適である。
【００５４】
（放送受信装置の構成と動作）
本発明の一実施形態に係る補間フレーム生成部を適用した放送受信装置の一実施形態であるデジタルテレビジョン装置等の放送受信装置の構成の一例を、以下に図面を用いて詳細に説明する。図９は、補間フレーム生成部を適用した放送受信装置の一実施形態であるデジタルテレビジョン装置等の放送受信装置の構成の一例を示すブロック図である。
【００５５】
放送受信装置１００は、図９に示すように一例としてテレビジョン装置であり、制御部１３０は全体の動作を司るべくデータバスを介して各部に接続されている。放送受信装置１００は、再生側を構成するＭＰＥＧデコーダ部１１６と、装置本体の動作を制御する制御部１３０とを主たる構成要素としている。放送受信装置１００は、入力側のセレクタ部１１４と出力側のセレクタ部１２０とを有しており、入力側のセレクタ部１１４には、ＢＳ／ＣＳ／地上波デジタルチューナ部１１２と、ＢＳ／地上波アナログチューナ部１１３が接続される。また、ＬＡＮ等やメール機能をもった通信部１１１がデータバスに接続されて設けられている。
【００５６】
放送受信装置１００は、更に、ＢＳ／ＣＳ／地上波デジタルチューナ部１１２からの復調信号を一時格納するバッファ部１１５と、格納された復調信号であるパケットを種類別に分離する分離部１１７と、分離部１１７から供給された映像音声用のパケットにＭＰＥＧデコード処理を施し映像音声信号を出力するＭＰＥＧデコーダ部１１６と、操作情報等を重畳するための映像信号を生成し映像信号に重畳するＯＳＤ（On Screen Display）重畳部１３４を有している。放送受信装置１００は、更に、ＭＰＥＧデコーダ部１１６からの音声信号に増幅処理等を施す音声処理部１１８と、ＭＰＥＧデコーダ部１１６から映像信号を受けて、所望の映像処理を施す映像処理部１１９と、上述した本発明の一実施形態に係る補間フレーム生成部１０と、ＯＳＤ重畳部１３４と、音声信号及び映像信号の出力先を選択するセレクタ部１２０と、音声処理部１１８からの音声信号に応じて音声を出力するスピーカ部１２１と、セレクタ部１２０に接続されて与えられた映像信号に応じた映像を液晶表示画面等に表示する表示部１２２と、外部装置との通信を行うインタフェース部１２３を有する。
【００５７】
放送受信装置１００は、更に、ＢＳ／ＣＳ／地上波デジタルチューナ部１１２及びＢＳ／地上波アナログチューナ部１１３からの映像情報等を適宜記録する記憶部１３５と、放送信号等から電子番組情報を取得して画面表示等を行なう電子番組情報処理部１３６を有しており、これらは、データバスを介して制御部１３０に接続されている。放送受信装置１００は、更に、データバスを介して制御部１３０に接続されユーザの操作やリモコンＲの操作を受ける操作部１３２及び操作信号を表示する表示部１３３を有している。ここで、リモコンＲは、放送受信装置１００の本体に設けられる操作部１３２とほぼ同等の操作を可能とするものであり、チューナの操作等、各種設定が可能である。
【００５８】
このような構成をもった放送受信装置１００は、放送信号が受信アンテナからＢＳ／ＣＳ／地上波デジタルチューナ部１１２等に入力され、ここで選局が行われる。選局され復調されたパケット形式の復調信号は、分離部１１７により、種類別のパケットに分離され、音声映像用パケットがＭＰＥＧデコーダ部１１６等でデコード処理されて映像音声信号となって、音声処理部１１８及び映像処理部１１９に供給される。
【００５９】
映像処理部１１９は、与えられた映像信号について、例えば、ＩＰ変換部１４１によりインターレース信号をプログレッシブに変換等の画像処理を行い、更に、上述した補間フレーム生成部１０によれば、確実な動きベクトル検出に基づいて滑らかな動画再生が可能な補間された映像信号が、セレクタ部１２０に供給される。
【００６０】
セレクタ部１２０は、制御部１３０の制御信号に応じて例えば表示部１２２に映像信号を供給し、これにより映像信号に応じた映像が表示部１２２に表示される。また、音声処理部１１８からの音声信号に応じた音声がスピーカ部１２１から出力される。
【００６１】
また、ＯＳＤ重畳部１３４で生成された各種の操作情報や字幕情報等が放送信号に応じた映像信号に重畳され、映像処理部１１９を経てこれに応じた映像が表示部１２２に表示される。
【００６２】
このように、上述した放送受信装置１００では、一例として、補間フレーム生成部１０において、確実な動きベクトルの検出に基づいて、破綻のない滑らかな動きを示す動画表示が可能となる。
【００６３】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００６４】
【図１】本発明の一実施形態に係る補間フレーム生成装置における構成の一例を示すブロック図。
【図２】本発明の一実施形態に係る補間フレーム生成装置におけるブロックマッチング処理の一例を示す説明図。
【図３】本発明の一実施形態に係る補間フレーム生成装置における全体の補間画像生成処理の一例を示すフローチャート。
【図４】本発明の一実施形態に係る補間フレーム生成装置における、周辺ブロックの動きベクトルから注目ブロックの各画素単位動きベクトルを決定する処理の一例を説明する説明図。
【図５】本発明の一実施形態に係る補間フレーム生成装置における、周辺ブロックの最多適用ベクトルから注目ブロックの各画素単位動きベクトルを決定する処理の一例を説明する説明図。
【図６】本発明の一実施形態に係る補間フレーム生成装置における、周辺ブロックの最多適用ベクトルから注目ブロックの各画素単位動きベクトルを決定する処理の他の一例を説明する説明図。
【図７】本発明の一実施形態に係る補間フレーム生成装置における、周辺ブロックの最多適用ベクトルから注目ブロックの各画素単位動きベクトルを決定する処理の一例を示すフローチャート。
【図８】本発明の一実施形態に係る補間フレーム生成装置における、周辺ブロックの最多適用ベクトルから注目ブロックの各画素単位動きベクトルを決定する処理の他の一例を示すフローチャート。
【図９】本発明の一実施形態に係る補間フレーム生成装置を用いた放送受信装置の一例を示すブロック図。
【符号の説明】
【００６５】
１０…補間フレーム生成装置、１１…フレームメモリ、１２…ブロック単位動きベクトル検出部、１３…画素単位動きベクトル検出部（履歴処理）、１４…補間画像作成部。
【図１】
0004374048.tif 000002
【図２】
0004374048.tif 000003
【図３】
0004374048.tif 000004
【図４】
0004374048.tif 000005
【図５】
0004374048.tif 000006
【図６】
0004374048.tif 000007
【図７】
0004374048.tif 000008
【図８】
0004374048.tif 000009
【図９】
0004374048.tif 000010